(57)【特許請求の範囲】
【請求項１】
筐体内に収納され、保護対象の補機と電気的に接続される接続位置からの引き出し量に応じて順次試験位置および断路位置となる引き出し形の低圧気中遮断器の動作試験に用いられる試験支援器具であって、
前記筐体内に固定される固定部と、
前記筐体内に配置された第１の位置検出スイッチが前記低圧気中遮断器の一部に押下されることによって前記低圧気中遮断器が前記試験位置にあることを検出する場合に、前記筐体内に配置され、前記低圧気中遮断器の一部に押下されることによって前記低圧気中遮断器が前記接続位置にあることを検出する第２の位置検出スイッチを押下する押下部と、
を備えることを特徴とする試験支援器具。
【請求項２】
前記第１および第２の位置検出スイッチは、前記筐体内の底面に配置され、前記低圧気中遮断器の下部に設けられた突起部に押下されることによって前記低圧気中遮断器がそれぞれ前記試験位置および前記接続位置にあることを検出することを特徴とする請求項１に記載の試験支援器具。
【請求項３】
前記固定部および前記押下部は、１本の金属線材を折り曲げて形成されていることを特徴とする請求項１または請求項２に記載の試験支援器具。
【請求項４】
前記金属線材は、軟銅線であることを特徴とする請求項３に記載の試験支援器具。
【請求項５】
前記金属線材は、絶縁部材で覆われていることを特徴とする請求項３または請求項４の何れかに記載の試験支援器具。
【請求項６】
前記絶縁部材は、ビニールテープであることを特徴とする請求項５に記載の試験支援器具。
【請求項７】
請求項１ないし請求項６の何れかに記載の試験支援器具を用いて、前記低圧気中遮断器が前記試験位置にあり、前記第２の位置検出スイッチが押下された状態で前記低圧気中遮断器の動作試験を行うことを特徴とする低圧気中遮断器の試験方法。
【発明の詳細な説明】
【技術分野】
【０００１】
本発明は、試験支援器具および低圧気中遮断器の試験方法に関する。
【背景技術】
【０００２】
ビルや工場などの施設で用いられる低圧気中遮断器として、例えば特許文献１に開示されている引き出し形のものが知られている。
【０００３】
当該引き出し形の遮断器は、図５に示すように、遮断器本体１が接続位置（運転位置）にある場合に、主回路接続部１１が主回路端子５と接続されることによって、モータ（電動機）などの保護対象の補機（不図示）と電気的に接続される。この場合、例えば、遮断器本体１の下部に設けられた突起部１２に位置検出スイッチ４が押下されることによって、遮断器本体１が接続位置にあることが検出される。
【０００４】
また、遮断器を制御する制御回路のシーケンスなどの試験を行う場合には、図６に示すように、遮断器本体１は、接続位置から試験位置まで引き出される。この場合、主回路接続部１１と主回路端子５とは接続されず、突起部１２に位置検出スイッチ３が押下されることによって、遮断器本体１が試験位置にあることが検出される。
【０００５】
また、遮断器の点検などを行う場合には、図７に示すように、遮断器本体１は、試験位置からさらに断路位置まで引き出される。さらに、扉９１を備えた開口部を介して、遮断器本体１全体を筐体９から引き出すこともできる。
【０００６】
このようにして、引き出し形の遮断器は、接続位置からの引き出し量に応じて順次試験位置および断路位置とすることによって、補機の運転や、遮断器の試験・点検などを行うことができる。
【先行技術文献】
【特許文献】
【０００７】
【特許文献１】特開平８−１５４３１５号公報
【発明の概要】
【発明が解決しようとする課題】
【０００８】
ところで、施設の定期点検工事などで補機の試運転を行う際に、何らかの理由でシーケンスの開始条件が成立していない場合、遮断器の開閉操作を行うことができず、試運転工程全体が遅延する場合がある。そのため、補機の試運転に先立って、遮断器と補機とを電気的に接続することなく、遮断器の動作試験を行っておくことが望ましい。
【０００９】
しかしながら、遮断器の制御回路および補機の構成によっては、遮断器が試験位置にある状態では、遮断器の開閉操作が試験用の押しボタンスイッチによってのみ可能なものもある。そのため、当該組み合わせにおいては、事前に遮断器単体の動作試験を行うことはできるものの、シーケンスの開始条件の成立を確認することができない。
【課題を解決するための手段】
【００１０】
前述した課題を解決する主たる本発明は、筐体内に収納され、保護対象の補機と電気的に接続される接続位置からの引き出し量に応じて順次試験位置および断路位置となる引き出し形の低圧気中遮断器の動作試験に用いられる試験支援器具であって、前記筐体内に固定される固定部と、前記筐体内に配置された第１の位置検出スイッチが前記低圧気中遮断器の一部に押下されることによって前記低圧気中遮断器が前記試験位置にあることを検出する場合に、前記筐体内に配置され、前記低圧気中遮断器の一部に押下されることによって前記低圧気中遮断器が前記接続位置にあることを検出する第２の位置検出スイッチを押下する押下部と、を備えることを特徴とする試験支援器具である。
【００１１】
本発明の他の特徴については、添付図面及び本明細書の記載により明らかとなる。
【発明の効果】
【００１２】
本発明によれば、遮断器の制御回路および補機の組み合わせによらず、補機の試運転に先立って、制御回路のシーケンスを含めた遮断器の試験を行うことができる。
【図面の簡単な説明】
【００１３】
【図１】本発明の一実施形態における試験支援器具を用いて、遮断器の動作試験を行う場合の位置関係を示す透過側面図である。
【図２】本発明の一実施形態における試験支援器具を用いて、遮断器の動作試験を行う場合の位置関係を示す透過平面図である。
【図３】本発明の一実施形態における試験支援器具を用いて、遮断器の動作試験を行う場合の位置関係を示す背面図である。
【図４】本発明の一実施形態における試験支援器具の形状を示す斜視図である。
【図５】遮断器が接続位置にある場合の位置関係を示す透過側面図である。
【図６】遮断器が試験位置にある場合の位置関係を示す透過側面図である。
【図７】遮断器が断路位置にある場合の位置関係を示す透過側面図である。
【発明を実施するための形態】
【００１４】
本明細書および添付図面の記載により、少なくとも以下の事項が明らかとなる。
【００１５】
＝＝＝遮断器の構成および作用の概略＝＝＝
以下、図１ないし図３を参照して、本発明の一実施形態における試験支援器具を用いて動作試験が行われる遮断器の構成および作用の概略について説明する。  
なお、図１は、筐体９を透過した側面図であり、図２は、筐体９および遮断器本体１を透過した平面図であり、図３は、筐体９内を背面（図１および図２において左側）の開口部を介して見た背面図である。また、図１ないし図３に示されている試験支援器具２についての詳細な説明は後述する。
【００１６】
図１に示されている遮断器は、例えばビルや工場などの施設で用いられる引き出し形の低圧気中遮断器であり、筐体９内には、遮断器本体１のほか、位置検出スイッチ３、４、および主回路端子５が収納されている。
【００１７】
筐体９の背面には、遮断器本体１全体を引き出すことができる開口部が設けられており、当該開口部には、開閉可能な扉９１が取り付けられている。なお、図３は、扉９１が開放された状態を示している。また、筐体９内の奥側の壁面には、主回路端子５が配置され、筐体９内の底面には、位置検出スイッチ３および４が配置されている。
【００１８】
遮断器本体１は、主回路接続部１１、突起部１２、および車輪１３を備えている。また、主回路接続部１１は、主回路端子５と対抗するように設けられ、突起部１２および車輪１３は、遮断器本体１の下部に設けられている。なお、車輪１３は、レール（不図示）などによって案内され、遮断器本体１は、筐体９内を直線方向（図１および図２において左右方向）に移動することができる。
【００１９】
位置検出スイッチ３（第１の位置検出スイッチ）は、遮断器本体１が試験位置にある場合に突起部１２に押下されるように配置されている。したがって、位置検出スイッチ３は、突起部１２に押下されることによって、遮断器本体１が試験位置にあることを検出することができる。なお、図１ないし図３は、遮断器本体１が試験位置にある状態を示している。そして、この状態においては、主回路接続部１１と主回路端子５とは接続されず、試験用の押しボタンスイッチ（不図示）などによって遮断器単体の動作試験のみが可能となっている。
【００２０】
位置検出スイッチ４（第２の位置検出スイッチ）は、遮断器本体１が接続位置にある場合に突起部１２に押下されるように配置されている。したがって、位置検出スイッチ４は、突起部１２に押下されることによって、遮断器本体１が接続位置にあることを検出することができる。そして、この状態においては、主回路接続部１１が主回路端子５と接続されることによって、遮断器本体１がモータなどの保護対象の補機（不図示）と電気的に接続され、当該補機の運転が可能となっている。
【００２１】
なお、位置検出スイッチ３および４としては、例えばマイクロスイッチなどが用いられる。また、遮断器本体１が試験位置からさらに引き出され、位置検出スイッチ３および４がいずれも押下されない断路位置にある場合には、インターロック機構によって電源がロックされ、遮断器側や補機側の点検を安全に行うことが可能となっている。
【００２２】
＝＝＝試験支援器具の構成および作用の概略＝＝＝
以下、図１ないし図４を参照して、本発明の一実施形態における試験支援器具の構成および作用について説明する。  
なお、図１ないし図３は、試験支援器具２を用いて遮断器の動作試験を行う場合の位置関係を示しており、試験支援器具２は、遮断器本体１が試験位置にある状態で用いられる。また、図４は、試験支援器具２の形状を示す斜視図である。
【００２３】
試験支援器具２は、１本の金属線材を折り曲げて、図４に示すような形状に形成されている。当該金属線材は、少なくとも位置検出スイッチ４を押下することができるとともに、折り曲げて形成することができる程度の剛性を有している。このような金属線材としては、例えばある程度の線径（直径５ｍｍないし１０ｍｍ程度）を有する軟銅線などを用いることができる。また、当該金属線材は、感電事故などを防止するため、少なくとも数百Ｖ以下の低圧に対して絶縁性を有する絶縁部材で覆われている。このような絶縁部材としては、例えば絶縁用ビニールテープなどを用いることができる。
【００２４】
試験支援器具２の一端（図４においてＡ部）は、筐体９内に固定される固定部である。本実施形態では、固定部の先端を若干折り曲げ、筐体９の開口部の端に引っ掛けることによって、試験支援器具２を固定する構成となっている。一方、他端（図４においてＢ部）は、位置検出スイッチ４を押下する押下部である。本実施形態では、押下部の先端を筐体９の底面の方向に略９０°折り曲げることによって、位置検出スイッチ４が押下される構成となっている。また、固定部と押下部とをつなぐ中間部分は、遮断器本体１の突起部１２や車輪１３と干渉しないような形状に形成されている。
【００２５】
このようにして、試験支援器具２を用いることによって、遮断器本体１が試験位置にあり、位置検出スイッチ４が押下された状態で遮断器の動作試験を行うことができる。したがって、位置検出スイッチ４は、遮断器本体１が補機と電気的に接続されていない状態で、遮断器本体１が接続位置にあることを検出するため、補機の試運転に先立って、制御回路のシーケンスを含めた遮断器の試験を行うことができる。
【００２６】
前述したように、図１ないし図４に示した試験支援器具２において、引き出し形の低圧気中遮断器の筐体９内に固定部（Ａ部）を固定し、位置検出スイッチ３が押下されている状態で押下部（Ｂ部）が位置検出スイッチ４を押下することによって、位置検出スイッチ４は、遮断器本体１が補機と電気的に接続されていない状態で、遮断器本体１が接続位置にあることを検出するため、遮断器の制御回路および補機の組み合わせによらず、補機の試運転に先立って、制御回路のシーケンスを含めた遮断器の試験を行うことができる。
【００２７】
また、遮断器本体１の下部に突起部１２を設けることによって、筐体９内の底面に配置された位置検出スイッチ３および４は、突起部１２に押下され、遮断器本体１がそれぞれ試験位置および接続位置にあることを検出することができる。
【００２８】
また、１本の金属線材を折り曲げて形成することによって、試験支援器具２を低コストで作成することができる。
【００２９】
また、金属線材として軟銅線を用いることによって、試験支援器具２は、少なくとも位置検出スイッチ４を押下することができるとともに、折り曲げて形成することができる程度の剛性を備えることができる。
【００３０】
また、金属線材を絶縁部材で覆うことによって、試験支援器具２を用いた遮断器の動作試験における感電事故などを防止することができる。
【００３１】
また、絶縁部材として絶縁用ビニールテープを用いることによって、試験支援器具２は、少なくとも数百Ｖ以下の低圧に対して絶縁性を備えることができる。
【００３２】
また、試験支援器具２を用いることによって、遮断器本体１が試験位置にあり、位置検出スイッチ４が押下された状態で遮断器の動作試験を行うことができ、遮断器の制御回路および補機の組み合わせによらず、補機の試運転に先立って、制御回路のシーケンスを含めた遮断器の試験を行うことができる。
【００３３】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００３４】
１          遮断器本体
２          試験支援器具
３、４      位置検出スイッチ
５          主回路端子
９          筐体
１１        主回路接続部
１２        突起部
１３        車輪
９１        扉
【図１】
0005111569.tif 000002
【図２】
0005111569.tif 000003
【図３】
0005111569.tif 000004
【図４】
0005111569.tif 000005
【図５】
0005111569.tif 000006
【図６】
0005111569.tif 000007
【図７】
0005111569.tif 000008